(57)【要約】  【課題】  スキー板やスノーボード等の滑走面にワックスを塗布し、この塗布したワックスを浸透させる場合に、このワックス浸透作業が容易であり、被ワックスかけ体にワックスを十分に浸透させることができるワックス浸透装置を提供することを目的とする。  【解決手段】  スノーボードを格納する筐体１０１と、筐体１０１内部に設置され、スノーボードを支持する支持体２０６と、筐体１０１内部の気体を加熱するヒータ２０１と、支持体２０６で支持されたスノーボードの周りにおいて、ヒータ２０１によって加熱された筐体１０１内部の気体を循環させるクロスファンとを有することを特徴とするワックス浸透装置である。  【選択図】  図１
2006246948.tif 000002
【特許請求の範囲】
【請求項１】
被ワックスかけ体を格納する筐体と、
前記筐体内部において前記被ワックスかけ体を支持する支持体と、
前記筐体内部の気体を加熱する発熱体と、
前記支持体で支持された被ワックスかけ体の周りにおいて、前記発熱体によって加熱された前記筐体内部の気体を循環させる気体循環手段と、
を有することを特徴とするワックス浸透装置。
【請求項２】
前記発熱体に蓄熱材を取り付けたことを特徴とする請求項１に記載のワックス浸透装置。
【請求項３】
前記筐体の内側面の少なくとも一の面に蓄熱材を設けたことを特徴とする請求項１に記載のワックス浸透装置。
【請求項４】
前記蓄熱材は、前記筐体内部の気体と接触する接触面が凹凸形状であることを特徴とする請求項２または請求項３に記載のワックス浸透装置。
【請求項５】
前記筐体内部を密閉する開閉扉と、
前記筐体内部の温度を検出する温度検出手段と、
前記筐体内部の温度を設定する温度設定手段と、
前記発熱体によって加熱された前記筐体内部の気体が、前記設定された温度になるように、前記温度検出手段が検出した筐体内部の温度に基づいて、前記発熱体を制御する制御手段と、
を有することを特徴とする請求項１〜４のいずれか１項に記載のワックス浸透装置。
【請求項６】
前記筐体の内側面のうちの少なくとも２箇所に前記温度検出手段を設置し、
前記制御手段は、前記設置された各温度検出手段が検出した各温度の温度差を算出し、算出した各温度差に基づいて、前記気体循環手段と、前記発熱体とを制御することを特徴とする請求項５に記載のワックス浸透装置。
【発明の詳細な説明】
【技術分野】
【０００１】
本発明は、スキー板やスノーボード等の滑走面に塗布したワックスを浸透させるワックス浸透装置に関する。
【背景技術】
【０００２】
スノーボードで快適に雪面を滑走するためには、スノーボードの滑走面と雪面との摩擦抵抗を極力軽減し、スノーボードの滑走性を高めることが重要である。このため、スノーボードの手入れをする場合に、スノーボードの滑走面にワックスをかけるワキシングが一般的に行われている。
【０００３】
スノーボードの滑走面にワックスをかけることによって、スノーボードの滑走面を保護すると共に、スノーボードの滑走面と雪面との摩擦抵抗を軽減することができるので、スノーボードの滑走性を高めることができる。これにより、スノーボーダーが快適にスノーボードを楽しむことができる。
【０００４】
ところで、スノーボードの滑走面にワックスを塗布する場合には、スノーボードの滑走性を高めるために、塗布したワックスをスノーボードの滑走面に十分に浸透させることが重要である。このように、塗布したワックスをスノーボードの滑走面に浸透させる方法として、スノーボードの滑走面に塗布したワックスに高い熱を加えることによって浸透させる方法がある。このため、従来は、滑走面にワックスを塗布した後に、塗布したワックスにアイロンで高い熱を加えていき、滑走面全体にワックスを浸透させる方法が広く用いられている。
【０００５】
しかし、アイロンを用いたワックス浸透方法でワキシングを施す場合、スノーボードの滑走面全体に手作業でアイロンをかけていく必要がある。このため、アイロンを用いたワックス浸透方法でワキシングを施す場合、手作業によるワックス浸透作業が煩雑であるという問題がある。
【０００６】
上記問題を解決する技術として、特許文献１には、スキー板等が収容可能で、開閉自在なハッチを設けた減圧容器と、減圧容器の減圧室内の圧力を調節する圧力調節手段と、減圧室内の温度を調節する温度調節手段とを備え、圧力調節手段と温度調節手段とをコントロールボックスで制御するワックス処理装置が開示されている。
【０００７】
しかし、特許文献１に記載のワックス処理装置は、減圧容器と、減圧容器の減圧室内の圧力を調節する圧力調節手段とを設ける必要があるので、ワックス処理装置自体の製造コストが高いという問題がある。また、圧力を低くした場合、破損してしまうスキー板やスノーボードがあるという問題がある。
【０００８】
また、特許文献２には、スキー板の収容部を設け、収容部の構成面内に面状発熱体を収装してなるスキー板用ワックス浸透装置が開示されている。つまり、特許文献２に記載のスキー板用ワックス浸透装置は、収容部の構成面内に設けられた面状発熱体とスキー板の滑走面とを当接させ、面状発熱体から発する熱によってスキー板の滑走面を加熱し、滑走面全体にワックスを浸透させる。
【０００９】
ところで、一般的には、面状発熱体の表面温度は均一でない場合が多い。例えば、電熱線を用いて発熱する面状発熱体の表面において、直下に電熱線がある部分の表面温度と直下に電熱線がない部分の表面温度とを比較した場合には、所定の温度差が存在する。また、面状発熱体の表面における中心部分の温度と端部分の温度とを比較した場合には、所定の温度差が存在する場合が多い。
このように、面状発熱体の表面温度が均一でない場合において、特許文献２に記載のワックス浸透装置を使用して、スキー板の滑走面に塗布したワックスを浸透させる場合、面状発熱体に当接され直接加熱されるスキー板の滑走面における表面温度を均一にすることができない。このように、スキー板の滑走面における表面温度が均一でない場合には、滑走面全体に塗布したワックスにムラが発生し、滑走面全体にワックスを十分に浸透させることができないという問題が生じる。なお、これらの問題は、スノーボードやスキー板等の被ワックスかけ体に共通して生じる問題である。
【特許文献１】特開２００２−３５５３５３号公報
【特許文献２】特開２００３−２３０６５５号公報
【発明の開示】
【発明が解決しようとする課題】
【００１０】
本発明は、スキー板やスノーボード等の被ワックスかけ体の滑走面にワックスを塗布し、この塗布したワックスを浸透させる場合に、このワックス浸透作業が容易であり、被ワックスかけ体にワックスを十分に浸透させることができるワックス浸透装置を提供することを目的とする。
【課題を解決するための手段】
【００１１】
本発明は、被ワックスかけ体を格納する筐体と、前記筐体内部に設置され、前記被ワックスかけ体を支持する支持体と、前記筐体内部の気体を加熱する発熱体と、前記支持体で支持された被ワックスかけ体の周りにおいて、前記発熱体によって加熱された前記筐体内部の気体を循環させる気体循環手段とを有することを特徴とするワックス浸透装置である。
なお、前記発熱体に蓄熱材を取り付けると共に、前記筐体の内側面の少なくとも一の面に蓄熱材を設けるようにすることが好ましい。また、前記蓄熱材は、前記筐体内部の気体と接触する接触面が凹凸形状であることを特徴とする。
【００１２】
また、本発明は、前記筐体内部を密閉する開閉扉と、前記筐体内部の温度を検出する温度検出手段と、前記筐体内部の温度を設定する温度設定手段と、前記発熱体によって加熱された前記筐体内部の気体が、前記設定された温度になるように、前記温度検出手段が検出した筐体内部の温度に基づいて、前記発熱体が発生させる熱を制御する制御手段とを有することを特徴とする。
【００１３】
さらに、本発明は、前記筐体の内側面のうちの少なくとも２箇所に前記温度検出手段を設置し、前記制御手段は、前記設置された各温度検出手段が検出した各温度の温度差を算出し、算出した各温度差に基づいて、前記気体循環手段と、前記発熱体とを制御することを特徴とする。
また、前記発熱体は、板状発熱体であり、前記筐体内を前記板状発熱体で仕切ることによって前記筐体内に第一収容部と第二収容部とを設け、前記板状発熱体を中心として、前記板状発熱体によって加熱された前記筐体内部の気体が第一収容部及び第二収容部を循環することを特徴とする。
【発明の効果】
【００１４】
本発明によれば、スキー板やスノーボード等の被ワックスかけ体の滑走面にワックスを塗布し、この塗布したワックスを浸透させる場合に、このワックス浸透作業が容易であり、被ワックスかけ体にワックスを十分に浸透させることができるという効果を奏する。
【発明を実施するための最良の形態】
【００１５】
以下、本発明の実施の形態であるワックス浸透装置について、図面を参照して詳細に説明する。なお、本実施の形態においては、スノーボードについて説明するが、スキー板等の滑走面を有する被ワックスかけ体についても同様に適用することができる。
【００１６】
［第１の実施の形態］
図１（１）は、本発明の第１の実施の形態であるワックス浸透装置１００の外観を示す斜視図であり、図１（２）は、ワックス浸透装置１００を示す断面図である。
【００１７】
ワックス浸透装置１００は、筐体１０１と、開閉扉１０２と、操作部１０３と、制御部１０４と、ラック２００と、ヒータ２０１と、第一蓄熱材２０２と、第二蓄熱材２０３と、第一クロスファン２０４と、第二クロスファン２０５と、支持体２０６ａ〜ｄと、第一温度センサ２０７と、第二温度センサ２０８とを有する。また、図１（１）（２）に示すように、ワックス浸透装置１００には、２つのスノーボード３０１、３０２を格納することができる。
【００１８】
筐体１０１は、スノーボードを収納することができる大きさの筐体であって、筐体１０１内部の温度を保持することができるように、断熱性のパネル材で構成されている。
【００１９】
開閉扉１０２は、筐体１０１に設けられた開閉可能な扉であって、断熱性のパネル材で構成されている。開閉扉１０２を閉めた状態で、開閉扉１０２と筐体１０１とを図示しない固定具で固定することによってワックス浸透装置１００内部を密閉する。なお、図１（１）では、開閉扉１０２を開いた状態を示す。筐体１０１と開閉扉１０２とを構成する部材は、断熱性を有するものが好ましい。
【００２０】
操作部１０３は、ワックス浸透装置１００を動作させるための各種操作情報を入力する操作部であって、筐体１０１の外部に設けられている。
【００２１】
制御部１０４は、操作部１０３と、ヒータ２０１と、第一クロスファン２０４及び第二クロスファン２０５と、第一温度センサ２０７及び第二温度センサ２０８とに接続され、筐体１０１の外部に設けられている制御部である。なお、制御部１０４は、操作部１０３から入力された操作情報に基づいて、ヒータ２０１のＯＮ／ＯＦＦを制御すると共に、第一クロスファン２０４及び第二クロスファン２０５の動作を制御するものである。また、制御部１０４は、操作部１０３から入力された操作情報と、第一温度センサ２０７及び第二温度センサ２０８から出力された温度情報に基づいて、ヒータ２０１のＯＮ／ＯＦＦや設定温度等を制御すると共に、第一クロスファン２０４と第二クロスファン２０５との動作を制御するものである。
【００２２】
ラック２００は、ヒータ２０１と第一蓄熱材２０２と第二蓄熱材２０３と支持体２０６ａ、ｂとを載せる載置板と、この載置板を支持する４つの支持脚とから構成されるラックである。なお、載置板は、下面１０１ｂの大きさよりも小さいものである。図１（１）（２）に示すように、ラック２００の載置板の上に第二蓄熱材２０３を設置し、第二蓄熱材２０３の上にヒータ２０１を設置し、ヒータ２０１の上に第一蓄熱材２０２を設置する。つまり、筐体１０１内部のほぼ真ん中に、ヒータ２０１と共にヒータ２０１を挟むように第一蓄熱材２０２と第二蓄熱材２０３とが設置される。
【００２３】
ヒータ２０１は、制御部１０４からの制御に基づいて熱を発生し、ワックス浸透装置１００内部の温度を上げる発熱体である。なお、ヒータ２０１は、スノーボードの大きさとほぼ同じ大きさの板状の発熱体である。ただし、スノーボードの大きさよりも大きいものを使用するようにしてもよく、スノーボードの大きさよりも小さい発熱手段を１又は複数枚使用するようにしてもよい。なお、ヒータ２０１の使用温度は、常温から４００℃までの設定が可能である。
【００２４】
第一蓄熱材２０２と第二蓄熱材２０３とは、ヒータ２０１が発した熱を蓄熱する蓄熱性の板状セラミックであって、ヒータ２０１とほぼ同じ大きさである。なお、ヒータ２０１と同様に、スノーボードの大きさよりも大きいもの、又は小さい蓄熱性部材を１又は複数枚使用するようにしてもよい。
【００２５】
第一クロスファン２０４は、ワックス浸透装置１００内部の空気を、図１（２）に示す矢印Ａの方向から取り入れ、矢印Ｂの方向に出力する送風機である。
【００２６】
第二クロスファン２０５は、ワックス浸透装置１００内部の空気を、図１（２）に示す矢印Ｃの方向から取り入れ、矢印Ｄの方向に出力する送風機である。
【００２７】
支持体２０６ａ、ｂは、第一蓄熱材２０２上に設けられ、スノーボード３０１を支持し、固定させる支持体である。なお、図１（１）に示すように、支持体２０６ａ、ｂのそれぞれは、開閉扉１０２を閉め、支持体２０６ａ、ｂにスノーボード３０１を設置した状態で、第一蓄熱材２０２とスノーボード３０１との間を空気が流れるように、ブロック２０６を２つ使用する。
【００２８】
支持体２０６ｃ、ｄは、ワックス浸透装置１００内部の下面１０１ａ上に設けられ、スノーボード３０２を支持し、固定させる支持体である。なお、支持体２０６ｃ、ｄは、開閉扉１０２を閉め、支持体２０６ｃ、ｄにスノーボード３０２を設置した状態で、下面１０１ａとスノーボード３０２との間を空気が流れるように、ブロック２０６を２つ使用する。なお、支持体２０６ａ〜ｄとして、スノーボードを支持することができる他の支持手段を使用することができる。
【００２９】
このように、ワックス浸透装置１００内部に、ヒータ２０１と第一蓄熱材２０２と第二蓄熱材２０３とをラック２００に設置することによって、図１に示すように、ワックス浸透装置１００内部には、スノーボード３０１を格納する第一格納部１０５と、スノーボード３０２を格納する第二格納部１０６とが設置される。なお、ヒータ２０１と第一蓄熱材２０２と第二蓄熱材２０３とラック２００の載置板との大きさは、図１（２）に示す各矢印方向に空気を循環することができる程度の大きさにする。
【００３０】
第一温度センサ２０７は、ワックス浸透装置１００内部の上面１０１ａのほぼ真ん中に設置されている温度センサであり、第二温度センサ２０８は、ワックス浸透装置１００内部の下面１０１ｂのほぼ真ん中に設置されている温度センサである。各温度センサは、設置場所の温度を検出し、検出した温度情報を制御部１０４に出力するものである。
【００３１】
次に、ワックス浸透装置１００の動作について説明する。
ワックス浸透装置１００にスノーボードを格納する前に、スノーボードの滑走面にワックスを塗布する。具体的には、スノーボードの滑走面には、雪面に浮いているチリやゴミが付着していたり、古いワックスが付いていたりして滑走面が汚れている場合が多いので、これらの汚れをきれいに取り除き、スノーボード用のワックスをスノーボードの滑走面に塗布する。
【００３２】
続いて、図１に示すように、ワックスを塗布したスノーボードをワックス浸透装置１００に格納する。具体的には、支持体２０６ａ、ｂにスノーボード３０１を載せ、支持体２０６ｃ、ｄにスノーボード３０２を載せる。なお、スノーボードの滑走面に塗布したワックスが滑走面上から垂れることを防止するために、ワックスを塗布した滑走面が上向きになるようにスノーボードを支持体に載せる。つまり、ワックスを塗布した滑走面とは反対の面と支持体とが接するように、スノーボードを支持体に載せる。また、第一格納部１０５と第二格納部１０６とのうちのいずれかに、１つのスノーボードを格納するようにしてもよい。ワックスを塗布したスノーボードをワックス浸透装置１００に格納した後に、開閉扉１０２を閉じ、図示しない固定具で開閉扉１０２と筐体１０１とを固定し、ワックス浸透装置１００内部を密閉する。このように、開閉扉１０２を閉じ、ワックス浸透装置１００内部を密閉することによって、筐体１０１内部の温度を一定に保持することができる。
【００３３】
続いて、操作部１０３において、適切なワックス浸透装置１００内部の温度と動作時間とを設定し、動作を開始する動作開始指示ボタン（図示しない）を押下する。例えば、適切なワックス浸透装置１００内部の温度として６０℃を設定し、動作時間として１時間を設定する。操作部１０３で動作開始指示ボタンが押下されると、制御部１０４が、ヒータ２０１と第一クロスファン２０４と第二クロスファン２０５とをＯＮし、「設定温度＋１℃」（６１℃）になるまでヒータ２０１をＯＮする。このように、ヒータ２０１で、ワックス浸透装置１００内部の空気を暖めると共に、第一クロスファン２０４と第二クロスファン２０５とで、ワックス浸透装置１００内部の空気を循環させるので、ワックス浸透装置１００内部の温度を均一にすることができる。具体的には、ワックス浸透装置１００内部において、ヒータ２０１で暖められた空気が、ヒータ２０１を中心に、図１（２）に示す各矢印方向に循環する。つまり、ワックス浸透装置１００内部に設置されたスノーボード３０１、３０２の周りを、ヒータ２０１で暖められた空気が循環する。
【００３４】
続いて、第一温度センサ２０７と第二温度センサ２０８とが検出した温度情報に基づいて、ワックス浸透装置１００内部の温度が「設定温度＋１℃」（６１℃）に達したか否かを制御部１０４が判断し、第一温度センサ２０７と第二温度センサ２０８とが検出した温度情報が、「設定温度＋１℃」（６１℃）に達すれば、ヒータ２０１をＯＦＦする。続いて、第一温度センサ２０７と第二温度センサ２０８とが検出した温度情報が「設定温度−１℃」（５９℃）に達すれば、制御部１０４がヒータ２０１をＯＮする。なお、判断の対象となる温度として、第一温度センサ２０７と第二温度センサ２０８とが検出した温度の平均値を使用するようにしてもよく、検出した温度のうちで低い値を使用するようにしてもよい。
【００３５】
続いて、設定された動作時間（１時間）が経過するまで制御部１０４が上記で示すフィードバック制御を実行する。設定された動作時間（１時間）に達した場合には、制御部１０４が、ヒータ２０１と第一クロスファン２０４と第二クロスファン２０５とをＯＦＦし、動作を終了する。
【００３６】
以上で示したように、第一温度センサ２０７と第二温度センサ２０８とが検出した温度情報に基づいて、制御部１０４がフィードバック制御を実行することによって、ワックス浸透装置１００内部の温度を一定に保持する。なお、ヒータ２０１が発する熱の温度の調整が可能なヒータを使用するようにしてもよく、出力する風量の強弱の調整が可能な送風機を使用するようにしてもよい。
【００３７】
また、フィードバック制御によって、ワックス浸透装置１００内部の温度を一定に保持すると共に、第一クロスファン２０４と第二クロスファン２０５とで、ワックス浸透装置１００内部の空気を循環させるので、ワックス浸透装置１００内部の温度を均一にすることができる。このため、ワックス浸透装置１００の動作中において、第一格納部１０５と第二格納部１０６とにおける温度を均一にすることができると共に、スノーボード３０１、３０２のそれぞれの滑走面と、滑走面以外の部分との温度を均一にすることができる。また、ヒータ２０１を挟むように第一蓄熱材２０２と第二蓄熱材２０３とを設置するので、開閉扉１０２の開閉後においてワックス浸透装置１００内部の温度が設定温度に回復する時間を短縮することができる。つまり、動作時間を設定せずに、３以上のスノーボードを連続して処理する場合において、スノーボードを入れ替えるために開閉扉１０２を開閉した場合に、ワックス浸透装置１００内部の温度が設定温度に回復する時間が短い。このため、多数のスノーボードを処理する場合に、この処理時間を短縮することができる。
【００３８】
第一の実施の形態によれば、ワックス浸透装置１００の動作中に、ワックス浸透装置１００内部の温度を一定に保持するので、滑走面全体にワックスを十分に浸透させることができる。また、ワックス浸透装置１００の動作中に、ワックス浸透装置１００に設置されたスノーボードの各部の温度を均一にすることができるので、滑走面全体に塗布したワックスのムラの発生を防止することができる。さらに、スノーボードの滑走面に塗布したワックスを浸透させる場合に、このスノーボードをワックス浸透装置１００に格納し、上記動作を実行させればよいので、ワックス浸透作業が容易である。
【００３９】
以上で示したように、ワックス浸透装置１００を使用して、スノーボードの滑走面に塗布したワックスを浸透させることによって、このワックス浸透作業を容易にし、スノーボードにワックスを十分に浸透させることができる。したがって、ワックス浸透装置１００を使用することによって、滑走性、耐久性とも優れた浸透方法を提供することができるので、スノーボードが高い性能を発揮することができ、スノーボードの使用者が快適にスノーボードを楽しむことができる。
【００４０】
なお、各クロスファンを設置する位置は、上記で示した位置に限定されることはなく、ヒータ２０１を中心にワックス浸透装置１００内部の空気を循環することができる位置に変更するようにしてもよい。たとえば、上面１０１ａにおける第一温度センサ２０７の付近と、下面１０１ｂにおける第二温度センサ２０８の付近とに各クロスファンを設置することができる。また、ヒータ２０１を中心にワックス浸透装置１００内部の空気を循環することができれば、ワックス浸透装置１００内に設置するクロスファンの数は、１または３以上とするようにしてもよい。また、第一格納部１０５と第二格納部１０６とのそれぞれに、スノーボードを２以上並べて設置することができるようにワックス浸透装置１００の奥行を設定するようにしてもよい。
【００４１】
図２は、ワックス浸透装置１００においてラック２００を設置する代わりに、ヒータ２０１と第一蓄熱材２０２と第二蓄熱材２０３とを筐体１０１に直接取り付けたワックス浸透装置１００ａを示す斜視図及び断面図である。
【００４２】
図２に示すように、ヒータ２０１と第一蓄熱材２０２と第二蓄熱材２０３とをラック２００に設置する代わりに、ヒータ２０１と第一蓄熱材２０２と第二蓄熱材２０３とを、筐体１０１の開閉扉１０２と対向する内側面に直接取り付けるようにしてもよい。
【００４３】
また、上面１０１ａまたは下面１０１ｂの少なくとも一方に、蓄熱材を取り付けるようにしてもよい。このようにすることによって、開閉扉１０２を開閉後においてワックス浸透装置１００内部の温度が設定温度に回復する時間をさらに短縮することができる。また、ワックス浸透装置１００内部のその他の内側面に蓄熱材を取り付けるようにしてもよい。なお、ワックス浸透装置１００内部に設置する温度センサの数は、１または３以上でもよく、上面１０１ａまたは下面１０１ｂ以外の場所に設置するようにしてもよい。
【００４４】
［第２の実施の形態］
図３（１）は、本発明の第２の実施の形態であるワックス浸透装置２００を示す断面図である。
【００４５】
ワックス浸透装置２００は、第１の実施の形態であるワックス浸透装置１００を変形したものであり、ヒータ２０１ａと第一蓄熱材２０２とを筐体１０１の上面１０１ａに設け、ヒータ２０１ｂと第二蓄熱材２０３とを筐体１０１の下面１０１ｂに設け、第一温度センサ２０７と第二温度センサ２０８とを筐体１０１の内側面に設け、支持体２０６ａ、ｂで１つのスノーボードを設置することができるようにしたものである。つまり、支持体２０６ａ、ｂに設置されたスノーボード３０１を中心に、スノーボード３０１の周りを、図３（１）に示す矢印方向に、ワックス浸透装置１００内部の空気が循環する。なお、ヒータと蓄熱材とは、筐体１０１の上面または下面のいずれかに設けるようにしてもよい。なお、図３において、第１の実施の形態と同じものについては、同一の符号を付してある。
【００４６】
第２の実施の形態によれば、ワックス浸透装置の筐体の大きさを、１つのスノーボードを格納することができる大きさとすることができるので、ワックス浸透装置全体の大きさを小さくすることができる。このため、持ち運びが容易であると共に、個人用として使用することができる。
【００４７】
［第３の実施の形態］
図３（２）は、本発明の第３の実施の形態であるワックス浸透装置３００を示す断面図であり、図３（３）は、図３（２）に示すワックス浸透装置３００のＮＮ断面を示す断面図である。
【００４８】
ワックス浸透装置３００は、第１の実施の形態であるワックス浸透装置１００を変形したものであり、スノーボードの滑走方向に空気を循環させる代わりに、スノーボードの滑走方向を空気循環の中心として、ワックス浸透装置３００内の空気を循環させるものである。具体的には、図３（２）に示すように、３つのクロスファン２０４、２０４ａ、２０５を設置し、各クロスファンは、図３（３）に示す矢印方向に空気が流れるように送風する。例えば、図３（３）に示すように、クロスファン２０５は、ワックス浸透装置３００内部の空気を、矢印Ａの方向から取り入れ、矢印Ｂの方向に出力する。これにより、第１の実施の形態と同様の効果を得ることができる。
【００４９】
［第４の実施の形態］
図４（１）は、上記各実施の形態に係るワックス浸透装置に使用する蓄熱材４００の外観を示す斜視図であり、図４（２）は、蓄熱材４００を示す断面図であり、図４（３）は、蓄熱材４００の変形例である蓄熱材４００ａの外観を示す斜視図である。
【００５０】
蓄熱材４００は、図４（１）（２）に示すように、空気との接触面が複数の山部４０１と複数の谷部４０２とからなる凹凸形状を有するセラミックス製の蓄熱材である。上記各実施の形態に係るワックス浸透装置に蓄熱材４００を設置する場合には、矢印Ｅまたは矢印Ｆの方向にワックス浸透装置１００内部の空気が流れるように設置する。
【００５１】
このように、ワックス浸透装置に蓄熱材４００を設置することによって、ワックス浸透装置１００内部を循環する空気と蓄熱材４００との接触面積が増加するので、開閉扉１０２を開閉後においてワックス浸透装置１００内部の温度が設定温度に回復する時間をさらに短縮することができる。また、空気が流れる方向に沿って山部４０１と谷部４０２とが形成されているので、空気の流れが良く、空気の循環効率を高めることができる。なお、図４（３）に示す凹凸形状等のように、一定の方向に沿って凹凸が形成された他の凹凸形状を有する蓄熱部材を使用するようにしてもよい。
【００５２】
［第５の実施の形態］
第５の実施の形態は、上記各実施の形態において、出力する風量の強弱の調整が可能なクロスファンを使用し、ワックス浸透装置内部に設置された２つの温度センサが検出した温度の差が、所定値以上（例えば、２℃以上）になった場合に、各クロスファンの出力を強くするように制御部１０４が制御するものである。また、２つの温度センサが検出した温度の差が、所定値の範囲内（例えば、０．５℃以内）になった場合には、各クロスファンの出力を通常に戻すようにする。
【００５３】
このようにすることによって、ワックス浸透装置内部の温度を均一にすることができ、ワックス浸透装置に設置されたスノーボードの各部の温度差をさらに小さくすることができる。なお、ワックス浸透装置内部に設置された温度センサが３以上の場合には、これらの温度センサが検出した温度の各温度差を求め、いずれかの温度差が所定値以上（例えば、２℃以上）になった場合に上記制御を実施するようにしてもよい。
【００５４】
なお、上記各実施の形態で示したワックス浸透装置を構成する各部材は一例であるので、上記各実施の形態で示した部材以外の部材を使用するようにしてもよい。また、上記各実施の形態ではスノーボードについて説明したが、スノーボード以外のスキー板等の被ワックスかけ体についても、上記各実施の形態を適用することができる。
【実施例１】
【００５５】
次に、ワックス浸透装置１００を使用した実施例１を説明する。なお、ワックス浸透装置１００において、第一蓄熱材２０２及び第二蓄熱材２０３として図４に示す蓄熱材４００を使用し、さらに、下面１０１ｂに蓄熱材４００を設置した。
【００５６】
図５は、ワックス浸透装置１００の動作中におけるワックス浸透装置１００内の温度変化及びスノーボードの表面上の温度変化を示す図である。
【００５７】
図５に示す温度変化グラフは、横軸を経過時間を示す軸とし、縦軸を検出温度を示す軸としたグラフである。また、ワックス浸透装置１００内の温度変化を曲線ＯＬ１で示し、スノーボードの表面上の温度変化を曲線ＯＬ２で示す。
【００５８】
図５において、Ｔ１は、ワックス浸透装置１００にスノーボードを収納していない状態で、動作開始から設定温度に達するまでを示す区間であり、Ｔ２は、ワックス浸透装置１００にスノーボードを収納していない状態で、開閉扉１０２を開閉する前後を示す区間であり、Ｔ３は、ワックス浸透装置１００にスノーボードを収納する前後を示す区間であり、Ｔ４は、ワックス浸透装置１００にスノーボードを収納した状態で、開閉扉１０２を開閉する前後を示す区間であり、Ｔ５は、ワックス浸透装置１００にスノーボードを収納した状態で、ワックス浸透装置１００の動作を継続させる場合の区間である。図５に示すように、区間Ｔ３の後半において、ワックス浸透装置１００内の温度と、スノーボードの表面上の温度とが同じになるので、温度変化曲線ＯＬ１と温度変化曲線ＯＬ２とが重なる。
【００５９】
実施例１の実施条件は、以下の通りである。
ワックス浸透装置１００の設置場所の温度：２３℃〜２４℃
設定温度：６４〜６５℃
【００６０】
蓄熱材４００を設置したワックス浸透装置１００を使用することによって、図５に示すように、ワックス浸透装置１００内の温度回復時間を短くすることができた。これにより、多数のスノーボードを処理する場合において、その処理時間を短縮することができる。また、動作終了後、スノーボードにワックスを十分に浸透させることができた。
【産業上の利用可能性】
【００６１】
スキー板やスノーボード等の被ワックスかけ体の滑走面にワックスを塗布し、この塗布したワックスを浸透させる場合に、本発明を利用することができる。
【図面の簡単な説明】
【００６２】
【図１】本発明の第１の実施の形態であるワックス浸透装置１００を示す斜視図及び断面図。
【図２】ワックス浸透装置１００においてラック２００を設置する代わりに、ヒータ２０１と第一蓄熱材２０２と第二蓄熱材２０３とを筐体１０１に直接取り付けたワックス浸透装置１００ａを示す斜視図及び断面図。
【図３】本発明の第２、３の実施の形態であるワックス浸透装置２００、３００を示す断面図。
【図４】上記各実施の形態に係るワックス浸透装置に使用する蓄熱材の例を示す斜視図及び断面図。
【図５】ワックス浸透装置１００の動作中におけるワックス浸透装置１００内の温度変化及びスノーボードの表面上の温度変化を示す図。
【符号の説明】
【００６３】
１００……ワックス浸透装置、１０１……筐体、１０２……開閉扉、１０３……操作部、１０４……制御部、２００……ラック、２０１……ヒータ、２０２……第一蓄熱材、２０３……第二蓄熱材、２０４……第一クロスファン、２０５……第二クロスファン、２０６ａ〜ｄ……支持体、２０７……第一温度センサ、２０８……第二温度センサ。
【図１】
2006246948.tif 000003
【図２】
2006246948.tif 000004
【図３】
2006246948.tif 000005
【図４】
2006246948.tif 000006
【図５】
2006246948.tif 000007
【手続補正書】
【提出日】平成17年9月26日(2005.9.26)
【手続補正１】
【補正対象書類名】特許請求の範囲
【補正対象項目名】全文
【補正方法】変更
【補正の内容】
【特許請求の範囲】
【請求項１】
被ワックスかけ体を格納する筐体と、
前記筐体内部において前記被ワックスかけ体を支持する支持体と、
前記筐体内部の気体を加熱する発熱体と、
前記支持体で支持された被ワックスかけ体の周りにおいて、前記発熱体によって加熱された前記筐体内部の気体を循環させる気体循環手段と、
前記発熱体の表面、または前記筐体の内側面の少なくとも一の面に設けられた蓄熱材と、
を有し、前記蓄熱材は、前記筐体内部の気体と接触する接触面が、前記筐体内部の気体が流れる方向を長手方向として延びる山部と谷部とが形成されている凹凸形状であることを特徴とするワックス浸透装置。
【請求項２】
被ワックスかけ体を格納する筐体と、
前記筐体内を仕切板で仕切ることによって設けられ、前記筐体内部の気体を相互に循環させることができる、１または複数の被ワックスかけ体を格納する第一格納部及び第二格納部と、
前記第一格納部及び前記第二格納部内部において前記被ワックスかけ体を支持する支持体と、
前記筐体内部の気体を加熱する発熱体と、
前記第一格納部及び前記第二格納部内において前記支持体で支持された被ワックスかけ体の表面を前記発熱体によって加熱された気体が流れるように、前記仕切板の周りを、前記発熱体によって加熱された気体を循環させる気体循環手段と、
を有することを特徴とするワックス浸透装置。
【請求項３】
被ワックスかけ体を格納する筐体と、
前記筐体内部において前記被ワックスかけ体を支持する支持体と、
前記筐体内部の気体を加熱する発熱体と、
前記支持体で支持された被ワックスかけ体の滑走面と当該滑走面とは反対の面との両面を前記発熱体によって加熱された気体が流れるように、前記発熱体によって加熱された気体を前記筐体内部で循環させる気体循環手段と、
を有することを特徴とするワックス浸透装置。
【請求項４】
前記発熱体の表面、または前記筐体の内側面の少なくとも一の面に蓄熱材を設け、
前記蓄熱材は、前記筐体内部の気体と接触する接触面が、前記筐体内部の気体が流れる方向を長手方向として延びる山部と谷部とが形成されている凹凸形状であることを特徴とする請求項２または請求項３に記載のワックス浸透装置。
【請求項５】
前記筐体内部を密閉する開閉扉と、
前記筐体内部の温度を検出する温度検出手段と、
前記筐体内部の温度を設定する温度設定手段と、
前記発熱体によって加熱された前記筐体内部の気体が、前記設定された温度になるように、前記温度検出手段が検出した筐体内部の温度に基づいて、前記発熱体を制御する制御手段と、
を有することを特徴とする請求項１〜４のいずれか１項に記載のワックス浸透装置。
【請求項６】
前記筐体の内側面のうちの少なくとも２箇所に前記温度検出手段を設置し、
前記制御手段は、前記設置された各温度検出手段が検出した各温度の温度差を算出し、算出した各温度差に基づいて、前記気体循環手段と、前記発熱体とを制御することを特徴とする請求項５に記載のワックス浸透装置。
【手続補正２】
【補正対象書類名】明細書
【補正対象項目名】００１１
【補正方法】変更
【補正の内容】
【００１１】
本発明は、被ワックスかけ体を格納する筐体と、前記筐体内部において前記被ワックスかけ体を支持する支持体と、前記筐体内部の気体を加熱する発熱体と、前記支持体で支持された被ワックスかけ体の周りにおいて、前記発熱体によって加熱された前記筐体内部の気体を循環させる気体循環手段と、前記発熱体の表面、または前記筐体の内側面の少なくとも一の面に設けられた蓄熱材とを有し、前記蓄熱材は、前記筐体内部の気体と接触する接触面が、前記筐体内部の気体が流れる方向を長手方向として延びる山部と谷部とが形成されている凹凸形状であることを特徴とするワックス浸透装置である。
また、本発明は、被ワックスかけ体を格納する筐体と、前記筐体内を仕切板で仕切ることによって設けられ、前記筐体内部の気体を相互に循環させることができる、１または複数の被ワックスかけ体を格納する第一格納部及び第二格納部と、前記第一格納部及び前記第二格納部内部において前記被ワックスかけ体を支持する支持体と、前記筐体内部の気体を加熱する発熱体と、前記第一格納部及び前記第二格納部内において前記支持体で支持された被ワックスかけ体の表面を前記発熱体によって加熱された気体が流れるように、前記仕切板の周りを、前記発熱体によって加熱された気体を循環させる気体循環手段とを有することを特徴とするワックス浸透装置である。
また、本発明は、被ワックスかけ体を格納する筐体と、前記筐体内部において前記被ワックスかけ体を支持する支持体と、前記筐体内部の気体を加熱する発熱体と、前記支持体で支持された被ワックスかけ体の滑走面と当該滑走面とは反対の面との両面を前記発熱体によって加熱された気体が流れるように、前記発熱体によって加熱された気体を前記筐体内部で循環させる気体循環手段とを有することを特徴とするワックス浸透装置である。
なお、前記発熱体の表面、または前記筐体の内側面の少なくとも一の面に蓄熱材を設け、前記蓄熱材は、前記筐体内部の気体と接触する接触面が、前記筐体内部の気体が流れる方向を長手方向として延びる山部と谷部とが形成されている凹凸形状であることを特徴とする。